(57)【要約】【課題】パッチパネルのパッチコードの挿抜状態を自動的に正確に検出する【解決手段】パッチコードと検出用配線を一体的に引きそろえ、パッチコードのプラグと検出用配線のプラグを一体的に構成し、パッチコードの挿抜と検出用配線の挿抜が同時に行われるようにし、パッチパネルには接続状態を読み取る制御用インタフェースを設置する 【選択図】  図２
2010128748.tif 000002
【特許請求の範囲】
【請求項１】
対をなすパッチパネルの間で多数のパッチコードを接続する情報分配装置において、
パッチパネルの個々のポートにおけるパッチコードの接続状態を検出できるように、
パッチコードと検出用配線を一体的に引きそろえ、パッチコードのプラグと検出用配線のプラグを一体的に構成して、パッチコードのプラグの挿抜と検出用配線のプラグの挿抜が同時に行われるようにしたパッチコードの配線管理装置
【請求項２】
パッチパネルにはパッチコードの接続状態を検出する制御インタフェースが設置されていることを特徴とする、特許請求項１の配線管理装置
【請求項３】
対をなす主側及び従側のパッチパネルには、それぞれ制御インタフェースが設置されており、これらの制御インタフェースの間の通信は、少なくとも、４極３心構造の検出配線を介して行い、このうち１心はグランド配線として用い、２心を信号線とする。プラグの４極のうち３極は３心配線を結合し、一極はプラグがパッチパネルのポートに装入されたことを検出する為に用いることを特徴とする特許請求項１、及び２項の配線管理装置
【請求項４】
検出用配線のプラグが、主側パッチパネルのポートに挿入されると、主側の制御インタフェースは、他方のプラグが挿入される従側パッチパネルのポートアドレス情報を読み込もうとさせる。従側の制御インタフェースは、従側パッチパネルのポートにプラグが挿入されると、そのポートアドレス情報を蓄えておき、主側制御インタフェースからの読み込みに供する。これらにより、ポートアドレスを備えた接続状態を検出できるようにすることを特徴とする特許請求範囲１、２、及び３項の配線管理装置
【請求項５】
パッチコードがメタル配線の場合において、本来の通信用パッチコードと検出用配線とプラグを８極８心の一本のコードとＲＪ４５プラグによって構成する特許請求項１、２、３及び４項の配線管理装置
【請求項６】
パッチコードが光配線の場合において、本来の通信用の光コードと検出用配線の３心電気コードが一体になった、光・電気複合コードとそのコードの両端で光プラグと４極電気プラグが一体になったプラグによって構成する特許請求項１，２，３及び４項の配線管理装置
【発明の詳細な説明】
【技術分野】
【０００１】
本発明はパッチパネルの多数のポートに挿抜される、パッチコードの接続状態を、自動的に検出する装置に関するものである。
【背景技術】
【０００２】
現在、情報配線ネットワークの管理を行う方法としては、ソフトウェアのエージェントを管理対象にて機能させ、その管理対象の状態監視を行い、管理プログラムがこのエージェントから状況報告を受けることで管理情報を収集して、ネットワークの管理をしている。しかしながら、情報配線ネットワークを支える物理層（ケーブルおよびコネクタ）においては、ソフトウェアによるエージェントが機能しないため、ネットワーク管理の中ではその存在あるいは接続状態を監視することはできない。物理的に対象物の存在を、RFIDを利用して検出する方法があるが、これはラックに収納するデッキのように対象物が大きいものには、個別アンテナによって識別可能であるが、本発明の対象とするパッチパネルに密接して配列した小さなポートの個別のアドレスを正確に識別するには、分解能が不十分で困難性を伴う。
【発明の開示】
【発明が解決しようとする課題】
【０００３】
本発明はパッチパネルの多数のポートに挿抜されるパッチコードの接続状態を正確に検出することである。
【課題を解決するための手段】
【０００４】
本発明は、配線の基礎部分であるパッチパネルにおいて、配線の接続状況、すなわち、配線が「どこから」「どこへ」接続されているか、そしてその接続状況が変更された場合には変更の内容を把握する装置であり、物理的な配線状況を確実に自動監視する装置である。すなわち、本発明は対をなすパッチパネルの間で多数のパッチコードを接続する情報分配装置において、パッチパネルの個々のポートにおけるパッチコードの接続状態を検出できるように、パッチコードと検出用配線を一体的に引きそろえ、パッチコードのプラグと検出用配線のプラグを一体的に構成して、パッチコードのプラグの挿抜と検出用配線のプラグの挿抜が同時に行われるようにしたパッチコードの配線管理装置であり、パッチパネルにはパッチコードの接続状態を検出する制御インタフェースが設置されていることを特徴とする配線管理装置である。
【０００５】
そして好ましくは、対をなす主側及び従側のパッチパネルには、それぞれ制御インタフェースが設置されており、これらの制御インタフェースの間の通信は、少なくとも、４極３心構造の検出配線を介して行い、このうち１心はグランド配線として用い、2心を信号線とする。プラグの４極のうち3極は３心配線を結合し、一極はプラグがパッチパネルのポートに装入されたことを検出する為に用いることを特徴とする配線管理装置であり、さらに好ましい対応として、検出用配線のプラグが、主側パッチパネルのポートに挿入されると、主側の制御インタフェースは、他方のプラグが挿入される従側パッチパネルのポートアドレス情報を読み込もうとさせる。従側の制御インタフェースは、従側パッチパネルのポートにプラグが挿入されると、そのポートアドレス情報を蓄えておき、主側制御インタフェースからの読み込みに供する。これらにより、ポートアドレスを備えた接続状態を検出できるようにすることを特徴とする配線管理装置である。そしてパッチコードがメタル配線の場合において好ましいのは、本来の通信用パッチコードと検出用配線とプラグを８極８心の一本のコードとRJ45プラグによって構成する配線管理装置であり、パッチコードが光配線の場合において好ましいのは、本来の通信用の光コードと検出用配線の３心電気コードが一体になった、光・電気複合コードとそのコードの両端で光プラグと4極電気プラグが一体になったプラグによって構成する配線管理装置である。
【０００６】
ＬＡＮのハブとか電話の交換機には、情報を分配する装置側と物理配線を利用者まで接続する側にそれぞれにパッチパネルという配線盤を設けている。その理由は、たとえば会社内である部門の移動が発生した場合でも、個々の電話配線はそのままで、パッチパネル間を結ぶ、パッチコードの連結位置を変えるだけで、同じ電話番号を使い続けることを可能にするためである。このような変更は社会の状況に対応した会社内の組織変更と共に頻発し、配線の変更作業と変更記録を管理することは設備を管理する側の大きな負担になっている。本発明は、電話、メタル配線のＬＡＮ、光配線のＬＡＮや館内ＣＡＴＶなどで使用されるパッチパネルなどに関するものであり、パッチコードがどのように接続されているか管理情報の取得を自動化するものである。
情報配線設備の大きさとしては、例えば２４ポートを単位として、これを片側で１００台程度、合計２４００回線程度の物理配線の実際の接続状況を監視するといった利用が出来る。  このためにパッチパネルの一台ごとに各々、制御用のインタフェースと取り付け、パッチコードの抜き差しがある度に接続状況を自動検知し、管理用ＰＣなどにその情報を集め、それにより情報配線の状態を常に把握することを可能にするものである
【０００７】
図１は  一対のパッチパネルにパッチコード及び検出用配線が接続された状態を示す図である。パッチコードのプラグ５と検出用配線のプラグ６は一体的に構成され、プラグをパッチパネルのポートに挿抜するときは、同時に挿抜できる。
図２には、本発明の検出用配線と制御用インタフェースの関係を示す図である。
通信の上流側を主側パッチパネル１とし、下流側を従側パッチパネル２とし、この間を、４極のプラグと３心からなる検出用配線で接続する。３心のうち、１心はグランド線とし２心は通信線とする。なお、プラグの４極のうち２極は２心の通信線と結合し、残る２極は１心のグランド線を分岐して結合する。このように結合した検出用配線プラグ６をパッチパネルのポート（検出用配線のレセプタクル）８に挿入すると、レセプタクルの2極のうち、グランドに落とされた極と、もう一つの極が導通となり、プラグの挿入を検出する。その結果は直ちに、プラグの挿入の検出に関する制御用インタフェース９に備えたレジスタの該当ビットに入力される。そして制御用インタフェースはこのレジスタをポートのアドレス順に走査して最新のプラグの挿、抜状態を監視する。
【０００８】
もう一組の制御用インタフェースである、プラグの挿入の検出に関する制御用インタフェース１０について説明する。このインタフェースはパッチコードが主側及び従側パッチパネルのどのポートに接続されているかを検出するものである。この検出のために主側及び従側のプラグの挿入の検出に関する制御用インタフェースの間を2心の検出用配線と2極のプラグで通信を行うことによって実行する。その時の制御インタフェースの働きの様子を一例で示すと、まず、主側パッチパネルのポートに、検出用配線の挿入が検出されると、主側制御インタフェース9は、従側制御インタフェースに対して、検出用配線の他のプラグが従側パッチパネルのどのポートに挿入されているか、挿入先のポートアドレスの読み込みを始める。従側制御インタフェースでは、従側パッチパネルのポートにプラグが挿入されると、直ちにそのアドレスをレジスタに保存する。  そして、主側インタフェースの読み込みに対しそれを提供する。これにより、パッチコードが、どのポートからどのポートへ接続されたのかを検出できる。例えば、図１の一番上のパッチコードは、A(l) ポートとB(p)ポートの接続であると、検出することが出来る。もし、レジスタにデータが無ければそれは、主側パッチパネルの片側だけの接続であり、図１で言えばA（m）ポートのみの接続となる。また、従側パッチパネルのポートへの挿入が検出されたのに、主側インタフェースがポートアドレスの読み込みをしなかったときは、従側パッチパネルの片側だけの接続であり、図１で言えば、B(q)ポートだけの接続であることが検出できる。
【０００９】
パッチコードと検出用配線について述べれば、多数のコードの錯綜するパッチパネルの周辺では出来るだけ単純なコードが好ましいが、パッチコードがメタル配線の場合であれば、本来の通信用パッチコードと検出用配線とプラグを８極８心の一本のコードとRJ45プラグによって構成するのが出来合いでの部品調達が出来て好都合である。しかし、パッチコードが光配線の場合には、本来の通信用の光コードと検出用配線の３心電気コードを一体に被覆した、光・電気複合コードとそのコードの両端で光プラグと4心電気プラグが一体になったプラグを用いるのが好ましい。
【００１０】
本発明の配線管理装置から得られるデータをコンピュータに送り、リアルタイムにパッチパネルの配線情況を管理することが出来る。これによって、パッチコードが現在どのように配線されているかと言うことのほかに、挿抜処理の時系列記録なども管理することが出来る。
【発明の効果】
【００１１】
本発明はパッチパネルの多数のポートに挿抜される、パッチコードの接続状態を、自動的に、正確に検出することができる。
【図面の簡単な説明】
【００１２】
【図１】本発明の一対のパッチパネルにパッチコード及び検出用配線が接続された状態を表す図
【図２】本発明の検出用配線と制御用インタフェース
【符号の説明】
【００１３】
１  主側パッチパネル
２  従側パッチパネル
３  パッチコード
４  検出用配線
５  パッチコードのプラグ
６  検出用配線のプラグ
７  一体的に構成したパッチコードのプラグと検出用配線のプラグ
８  パッチパネルのポート  （検出用配線のレセプタクル）
９  プラグの挿入の検出に関する制御用インタフェース
１０  接続ポート番号読み込みに関する制御用インタフェース
A(n),A(m),A(n)  ：主側パッチパネルポート
B(p),B(q),B(r)    ：従側パッチパネルポート
【図１】
2010128748.tif 000003
【図２】
2010128748.tif 000004